(57)【要約】【課題】  設備コストが安く短期的，臨時的な計測に適応した計測用プログラムを提供する。【解決手段】  ガス，水道，電気等のエネルギの使用状況等を計測する計測機器１に接続され計測機器１が測定した測定データをデータベース９として記憶するコンピュータ２について、計測機器１の計測作業の開始，停止を指示し計測機器１の測定データを受信する計測機器ドライブ機能と、受信した計測機器１の計測データを計測機器ごとに時系列的に記憶し記憶した計測データを処理，加工するデータベース化機能と、処理，加工された計測機器１の計測データをインターネットのホームページを閲覧可能な形式に変換して表示する変換表示機能とを実現させる。【選択図】        図１
2009059016.tif 000002
【特許請求の範囲】
【請求項１】
ガス，水道，電気等のエネルギの使用状況等を計測する計測機器に接続され計測機器が測定した測定データをデータベースとして記憶するコンピュータについて、計測機器の計測作業の開始，停止を指示し計測機器の測定データを受信する計測機器ドライブ機能と、受信した計測機器の計測データを計測機器ごとに時系列的に記憶し記憶した計測データを処理，加工するデータベース化機能と、処理，加工された計測機器の計測データをインターネットのホームページを閲覧可能な形式に変換して表示する変換表示機能とを実現させることを特徴とする計測用プログラム。
【請求項２】
請求項１の計測用プログラムにおいて、インターネットのホームページを閲覧可能なソフトウエアからの入力によってデータベースに計測機器の計測作業の開始，停止の設定を記憶させる設定機能を実現させることを特徴とする計測用プログラム。  
【請求項３】
請求項１または２の計測用プログラムがコンピュータにインストール可能に記録された記録媒体と、計測対象施設の改造をともなうことなく設置されガス，水道，電気等のエネルギの使用状況等を計測する計測機器または既設の計測機器に接続され計測データが出力される出力端子と、計測機器または出力端子に接続され計測データを発信する発信元通信端末と、コンピュータに接続され発信元通信端末から発信された計測データを受信する受信先通信端末とを備えたことを特徴とする計測システム。
【請求項４】
請求項１または２の計測用プログラムがインストールされたコンピュータと、計測対象施設の改造をともなうことなく設置されガス，水道，電気等のエネルギの使用状況等を計測する計測機器または既設の計測機器に接続され計測データが出力される出力端子と、計測機器または出力端子に接続され計測データを発信する発信元通信端末と、コンピュータに接続され発信元通信端末から発信された計測データを受信する受信先通信端末とを備えたことを特徴とする計測システム。
【請求項５】
請求項３または４の計測システムにおいて、発信元通信端末と受信先通信端末とは無線通信回線で接続されていることを特徴とする計測システム。
【請求項６】
請求項３〜５のいずれかの計測システムにおいて、測定機器はバッテリ駆動式であることを特徴とする計測システム。
【請求項７】
請求項３〜６のいずれかの計測システムにおいて、発信元通信端末はバッテリ駆動式であることを特徴とする計測システム。
【請求項８】
請求項３〜７のいずれかの計測システムにおいて、コンピュータはパケット通信が可能な携帯用通信機器の通信回線を通じてクライアントコンピュータに接続され、クライアントコンピュータは処理，加工された計測機器の計測データをインターネットのホームページを閲覧可能な形式に変換して表示する変換表示機能を実現させるプログラムがインストールされていることを特徴とする計測システム。
【発明の詳細な説明】
【技術分野】
【０００１】
本発明は、コンピュータを使用したエネルギの使用状況等の計測に係る技術分野に属する。
【背景技術】
【０００２】
最近、各種の工場，プラント等では、ガス，水道，電気等のエネルギの使用状況等を計測して省エネルギ対策の資料とすることが行われている。この計測においては、各種の計測機器をコンピュータに接続して、計測機器が測定した測定データをコンピュータでデータベース化することが行われている。
【０００３】
従来、計測機器，コンピュータを使用した計測技術としては、例えば、以下に記載のものが知られている。
【特許文献１】特許第２５２２４６０号公報
【特許文献２】特許第２５２２４６１号公報  特許文献１，２には、計測機器で計測した計測データを収集処理して電話回線を通じて集中化する計測技術が記載されている。
【０００４】
特許文献１，２に係る計測技術は、専用のソフトウエア，コンピュータを備えて継続的，恒久的な計測を行うものである。
【発明の開示】
【発明が解決しようとする課題】
【０００５】
特許文献１，２に係る計測技術では、専用のソフトウエア，コンピュータを備えなければならないため、設備コストが高く短期的，臨時的な計測に不向きであるという問題点がある。
【０００６】
本発明は、このような問題点を考慮してなされたもので、設備コストが安く短期的，臨時的な計測に適応した計測用プログラムと、この計測用プログラムを有効に利用する計測システムとを提供することを課題とする。
【課題を解決するための手段】
【０００７】
前述の課題を解決するため、本発明に係る計測用プログラムは、特許請求の範囲の請求項１，２に記載の手段を採用する。
【０００８】
即ち、ガス，水道，電気等のエネルギの使用状況等を計測する計測機器に接続され計測機器が測定した測定データをデータベースとして記憶するコンピュータについて、計測機器の計測作業の開始，停止を指示し計測機器の測定データを受信する計測機器ドライブ機能と、受信した計測機器の計測データを計測機器ごとに時系列的に記憶し記憶した計測データを処理，加工するデータベース化機能と、処理，加工された計測機器の計測データをインターネットのホームページを閲覧可能な形式に変換して表示する変換表示機能とを実現させることを特徴とする。
【０００９】
この手段では、コンピュータに計測機器ドライブ機能，データベース化機能，変換表示機能を実現させることで、汎用のデータベースソフトウエアを中心に構築して汎用のウェブブラウザソフトウエアで計測データを表示することができるようになる。
【００１０】
また、請求項１の計測用プログラムにおいて、インターネットのホームページを閲覧可能なソフトウエアからの入力によってデータベースに計測機器の計測作業の開始，停止の設定を記憶させる設定機能を実現させることを特徴とする。
【００１１】
この手段では、設定機能を実現させることで、汎用のウェブブラウザソフトウエアからの計測機器の計測作業の設定が可能になる。
【００１２】
前述の課題を解決するため、本発明に係る計測システムは、特許請求の範囲の請求項３〜８に記載の手段を採用する。
【００１３】
即ち、請求項３では、請求項１または２の計測用プログラムがコンピュータにインストール可能に記録された記録媒体と、計測対象施設の改造をともなうことなく設置されガス，水道，電気等のエネルギの使用状況等を計測する計測機器または既設の計測機器に接続され計測データが出力される出力端子と、計測機器または出力端子に接続され計測データを発信する発信元通信端末と、コンピュータに接続され発信元通信端末から発信された計測データを受信する受信先通信端末とを備えたことを特徴とする。
【００１４】
この手段では、本発明に係る計測用プログラムを記録された記録媒体からコンピュータにインストールして利用し、計測対象施設に影響を及ぼすことなく計測機器（出力端子），発信元通信端末，受信先通信端末からなる独立した計測回線が構築される。
【００１５】
また、請求項４では、請求項１または２の計測用プログラムがインストールされたコンピュータと、計測対象施設の改造をともなうことなく設置されガス，水道，電気等のエネルギの使用状況等を計測する計測機器または既設の計測機器に接続され計測データが出力される出力端子と、計測機器または出力端子に接続され計測データを発信する発信元通信端末と、コンピュータに接続され発信元通信端末から発信された計測データを受信する受信先通信端末とを備えたことを特徴とする。
【００１６】
この手段では、本発明に係る計測用プログラムがインストールされたコンピュータを利用し、計測対象施設に影響を及ぼすことなく計測機器（出力端子），発信元通信端末，受信先通信端末からなる独立した計測回線が構築される。
【００１７】
また、請求項５では、請求項３または４の計測システムにおいて、発信元通信端末と受信先通信端末とは無線通信回線で接続されていることを特徴とする。
【００１８】
この手段では、発信元通信端末，受信先通信端末が配線作業が不要な無線通信回線で接続される。
【００１９】
また、請求項６では、請求項３〜５のいずれかの計測システムにおいて、測定機器はバッテリ駆動式であることを特徴とする。
【００２０】
この手段では、測定機器がバッテリ駆動される。
【００２１】
また、請求項７では、請求項３〜６のいずれかの計測システムにおいて、発信元通信端末はバッテリ駆動式であることを特徴とする。
【００２２】
この手段では、発信元通信端末がバッテリ駆動される。
【００２３】
また、請求項８では、請求項３〜７のいずれかの計測システムにおいて、コンピュータはパケット通信が可能な携帯用通信機器の通信回線を通じてクライアントコンピュータに接続され、クライアントコンピュータは処理，加工された計測機器の計測データをインターネットのホームページを閲覧可能な形式に変換して表示する変換表示機能を実現させるプログラムがインストールされていることを特徴とする。
【００２４】
この手段では、コンピュータに対してクライアントコンピュータが接続されて、携帯用通信機器の通信回線を通じて計測データ等が送信される。
【発明の効果】
【００２５】
本発明に係る計測用プログラムは、コンピュータに計測機器ドライブ機能，データベース化機能，変換表示機能を実現させることで、汎用のデータベースソフトウエアを中心に構築して汎用のウェブブラウザソフトウエアで計測データを表示することができるようになるため、設備コストが安く短期的，臨時的な計測に適応することができる効果がある。
【００２６】
また、請求項２として、設定機能を実現させることで、汎用のウェブブラウザソフトウエアからの計測機器の計測作業の設定が可能になるため、計測機器の計測作業の設定が容易である効果がある。
【００２７】
さらに、本発明に係る計測システムは、本発明に係る計測用プログラムを記録された記録媒体からコンピュータにインストールして利用し、または、本発明に係る計測用プログラムがインストールされたコンピュータを利用し、計測対象施設に影響を及ぼすことなく計測機器（出力端子），発信元通信端末，受信先通信端末からなる独立した計測回線が構築されるため、いかなる施設をも計測対象とすることができる効果がある。
【００２８】
また、請求項５として、発信元通信端末，受信先通信端末が配線作業が不要な無線通信回線で接続されるため、大規模，複雑な施設をも計測対象とすることができる効果がある。
【００２９】
また、請求項６として、測定機器がバッテリ駆動されるため、電源のない箇所にも測定機器を設置することができる効果がある。
【００３０】
また、請求項７として、発信元通信端末がバッテリ駆動されるため、電源のない箇所にも発信元通信端末を設置することができる効果がある。
【００３１】
また、請求項８として、コンピュータに対してクライアントコンピュータが接続されて、携帯用通信機器の通信回線を通じて計測データ等が送信されるため、クライアントコンピュータで計測を遠隔監視することができる効果がある。
【発明を実施するための最良の形態】
【００３２】
以下、本発明に係る計測用プログラムおよび計測システムを実施するための最良の形態を図面に基づいて説明する。
【００３３】
この形態は、図１に示すように、計測機器１，コンピュータ２，クライアントコンピュータ３が接続された計測システムが構築されている。
【００３４】
計測機器１は、計測対象施設である各種の工場，プラント等におけるガス，水道，電気等のエネルギの使用状況等を計測して数値データからなる計測データを出力することができるもので、計測対象施設に影響を与えることがなく電源を確保できない場合をも考慮して、原則として電源を必要としないバッテリ駆動式で追加付設式のものが選択される。この計測機器１については、必要に応じて既設の計測機器が利用され、既設の計測機器に接続されて計測データが出力される出力端子が代替される。ガスの使用状況等を計測するものとしては、例えば、ガス流量を計測して積算する既設のガスメータを利用して、ガスメータに接続されて計測データが出力される出力端子がある。水道の使用状況等を計測するものとしては、例えば、水道管に超音波の発信受信端末を当接させて水量を計測して積算する超音波流量計がある。電気の使用状況等を計測するものとしては、例えば、電線等にクランプで接続され電流を計測して積算するクランプ電力計がある。この外に、例えば、エネルギの使用状況等の計測が空調設備に関連する場合には、計測機器１として温度計，湿度計，水温計等が付随的に含まれることになる。
【００３５】
コンピュータ（現場コンピュータ）２は、計測対象施設に設置される汎用のパーソナルコンピュータからなるもので、制御回路，演算回路を備えた中央処理装置（ＣＰＵ）にメインメモリ等の主記憶装置とハードディスク等の補助記憶装置とが接続され、中央処理装置等にキィーボード，マウス等の入力装置とディスプレイ等の出力装置とが接続されている。補助記憶装置には、基本となるソフトウエアであるＯＳ（Operating System）に加えてアプリケーションソフトウエアとして、計測機器ドライブソフトウエアａ，データベースソフトウエアｂ，変換ソフトウエアｃ，ウエブブラウザソフトウエアｄ，第１の通信ソフトウエアｅ，第２の通信ソフトウエアｆがインストールされている。計測機器ドライブソフトウエアａは、各計測機器１の計測作業を制御する手順がプログラミングされている。データベースソフトウエアｂは、計測機器１の計測作業の開始，停止を指示し計測機器１の計測データを計測機器ごとに時系列的に記憶し記憶した計測データを処理，加工する手順がプログラミングされているもので、汎用のデータベースソフトウエアを利用することが可能である。変換ソフトウエアｃは、データベースソフトウエアｂで処理，加工された計測機器１の計測データをインターネットのホームページを閲覧可能な形式（例えば、ＨＴＭＬ形式）に変換し、ウエブブラウザソフトウエアｄからデータベースソフトウエアｂへの計測機器１の計測作業の開始，停止の指示を変換中継する手順がプログラミングされている。ウエブブラウザソフトウエアｄは、インターネットのホームページを閲覧する手順がプログラミングされているもので、汎用のウエブブラウザソフトウエアを利用することができる。第１の通信ソフトウエアｅは、コンピュータ２（計測機器ドライブソフトウエアａ）と計測機器１とを回線で接続する手順がプログラミングされているもので、ＯＳに含まれているネットワーク回線接続機能で代替することも可能である。第２の通信ソフトウエアｆは、コンピュータ２（変換ソフトウエアｃ）とクライアントコンピュータ３とを回線で接続する手順がプログラミングされているもので、ＯＳに含まれているネットワーク回線接続機能で代替することも可能である。
【００３６】
このコンピュータ２は、例えば、汎用のノート型のパーソナルコンピュータが採用されて計測対象施設である工場の電機管理室に設置される。従って、電機管理室において容易に電源を確保することができる場合には、コンピュータ２をバッテリ駆動せずに電源に接続して駆動させることもできる。なお、複数の計測対象施設に同時に設置することも可能である。
【００３７】
クライアントコンピュータ３は、計測対象施設以外に設置される汎用のパーソナルコンピュータからなるもので、制御回路，演算回路を備えた中央処理装置（ＣＰＵ）にメインメモリ等の主記憶装置とハードディスク等の補助記憶装置とが接続され、中央処理装置等にキィーボード，マウス等の入力装置とディスプレイ等の出力装置とが接続されている。補助記憶装置には、基本となるソフトウエアであるＯＳ（Operating System）に加えてアプリケーションソフトウエアとして、ウエブブラウザソフトウエアｄ，第２通信ソフトウエアｆがインストールされている。  
【００３８】
このクライアントコンピュータ３は、例えば、ＬＡＮを構築した汎用のデスクトップ型のパーソナルコンピュータが採用されて計測業者の中央管理センタに設置される。
【００３９】
計測機器１，コンピュータ２は、発信元通信端末４，中継器５，受信先通信端末６によって無線ＬＡＮが構築されて接続されている。発信元通信端末４，中継器５，受信先通信端末６については、バッテリ駆動式とするのが好ましい。なお、コンピュータ２の設置場所によっては、コンピュータ２側の受信先通信端末６を電源に接続して駆動させることもできる。また、コンピュータ２の設置場所が計測対象施設である工場の電機管理室である場合には、例えば、電気の使用状況等を計測するクランプ電力計を電源に接続して駆動させ、クランプ電力計側の発信元通信端末４とコンピュータ２側の受信先通信端末６とを有線で接続することも可能である。
【００４０】
コンピュータ２，クライアントコンピュータ３は、パケット通信が可能な携帯電話等の携帯用通信機器７の通信回線８を介して接続されている。クライアントコンピュータ３では、ＬＡＮ等の構築に対応して携帯用通信端末９を介して携帯用通信機器７が接続される。
【００４１】
この形態によると、最初に計測対象施設に計測機器１を設置することになる。この設置では、計測機器１の設置場所が制約されることがなく、ガス，水道，電気等のエネルギの流通機構等に全く影響を及ぼすこともない。なお、計測機器１の設置にともなって、発信元通信端末４，中継器５，受信先通信端末６，携帯用通信機器７の設置も行われる。
【００４２】
計測機器１の設置の後には、コンピュータ２またはクライアントコンピュータ３のウエブブラウザソフトウエアｄから計測機器１ごとの計測作業の開始，停止の指示を行う。
【００４３】
ウエブブラウザソフトウエアｄは、図３に示すように、「ＴＯＰ」画面の表示から「設定管理」項目と「測定監視」項目とを選択することができるように表示構成がなされている。従って、「設定管理」項目を選択し、さらに「測定開始／停止」項目を選択することになる。なお、計測機器１の計測作業の開始，停止の指示について後事的変更する場合には、「測定開始／停止」項目に並列されている「測定間隔変更」項目を選択することになる。
【００４４】
コンピュータ２のウエブブラウザソフトウエアｄからの指示は、変換ソフトウエアｃ，データベースソフトウエアｂを介して送信され、補助記憶装置に計測機器１ごとにデータベース１０が作成される。クライアントコンピュータ３のウエブブラウザソフトウエアｄからの指示は、第２の通信ソフトウエアｆ，携帯用通信機器７，通信回線８からコンピュータ２の第２の通信ソフトウエアｆ，変換ソフトウエアｃ，データベースソフトウエアｂを介して送信され、補助記憶装置に計測機器１ごとにデータベース１０が作成される。即ち、コンピュータ２，クライアントコンピュータ３のいずれからも、計測機器１ごとの計測作業の開始，停止の指示を行うことができる。
【００４５】
この後、計測機器ドライブソフトウエアａ，データベースソフトウエアｂ，変換ソフトウエアｃ，ウエブブラウザソフトウエアｄ，第１の通信ソフトウエアｅ，第２の通信ソフトウエアｆの詳細な設定や、発信元通信端末４，中継器５，受信先通信端末６，携帯用通信機器７の試験が行われる。
【００４６】
計測機器１による計測は、データベース１０の指示によって実行される。そして、計測機器１の計測データは、データベース１０に蓄積される。
【００４７】
この計測は、独自に通信回線が構築されているため、計測対象施設の通信システム，セキュリティシステム等に影響を及ぼすことがない。
【００４８】
データベース１０に蓄積された計測データは、データベースソフトウエアｂによって必要な加工，処理がなされて表示される。この表示は、図２に示すように、ウエブブラウザソフトウエアｄからの閲覧請求に基づく変換ソフトウエアｃの９変換作業によって、ウエブブラウザソフトウエアｄで表示して閲覧することができる。
【００４９】
ウエブブラウザソフトウエアｄでの閲覧では、図３に示すように、前述の「測定監視」項目の選択から、「日報」項目，「計測機器選択」項目，「計測機器選択」項目，「計測日選択」項目，「計測日毎のデータ一覧表」項目，「グラフ」項目，「瞬時値」項目，「各計測機器の現在のデータ一覧表」項目を選択することにより、各種の表示が可能である。
【００５０】
クライアントコンピュータ３のウエブブラウザソフトウエアｄでの閲覧では、各コンピュータ２（各計測対象施設）を遠隔監視することができる。この遠隔監視では、必要なデータのみコンピュータ２からパケット通信で受信するため、通信に掛かる課金を低減することができる。また、クライアントコンピュータ３のウエブブラウザソフトウエアｄでの閲覧による遠隔監視となるため、クライアントコンピュータ３にデータベースソフトウエアｂをインストールしてデータベース１０を作成しなくても、充分に監視を行うことができる。
【００５１】
データベース１０に蓄積された計測データは、適当な手段で回収して省エネルギ対策等の資料とすることができる。
【００５２】
以上、図示した形態の外に、本発明に係る計測用プログラムを構成する計測機器ドライブソフトウエアａ，データベースソフトウエアｂ，変換ソフトウエアｃ，ウエブブラウザソフトウエアｄ，第１の通信ソフトウエアｅ，第２の通信ソフトウエアｆを記録媒体に記録して提供することもできる。
【図面の簡単な説明】
【００５３】
【図１】発明に係る計測用プログラムおよび計測システムを実施するための最良の形態のシステムブロック図である。
【図２】図１における計測データの表示の操作にフローチャートである。
【図３】図１におけるウエブブラウザソフトウエアの表示項目の階層図である。
【符号の説明】
【００５４】
１            計測機器
２            コンピュータ
３            クライアントコンピュータ
４            発信元通信端末
５            中継器
６            受信先通信端末
７            携帯用通信機器
８            通信回線
９            携帯用通信端末
１０          データベース
ａ            計測機器ドライブソフトウエア
ｂ            データベースソフトウエア
ｃ            変換ソフトウエア
ｄ            ウエブブラウザソフトウエア
ｅ            第１の通信ソフトウエア
ｆ            第２の通信ソフトウエア
【図１】
2009059016.tif 000003
【図２】
2009059016.tif 000004
【図３】
2009059016.tif 000005